(57)【要約】【課題】椅子の出し入れを容易に行うことができ、椅子の使用時におけるテーブルの安定性を確保するとともに、椅子をコンパクトに収納することが可能な、椅子収納型テーブルを提供する。【解決手段】椅子収納型テーブル１は、天板２１を備えるテーブル２と、テーブル２に固定された支持棒３と、支持棒３に連結された椅子４と、を備え、椅子４は、支柱４１と、座部４２と、支柱４１の中途部において支柱４１に対して回動可能に連結された補助脚４３と、を備え、椅子４は、座部４２が天板２１の下方の空間内に位置する収納状態と、座部４２が天板２１の下方の空間外に位置する使用状態と、の間で変位可能とされ、椅子４が収納状態に位置する際には、補助脚４３が支柱４１に対して近接する収納位置に位置し、椅子４が使用状態に位置する際には、補助脚４３が支柱４１に対して離間する使用位置に位置する。【選択図】図１
2020099581.tif 000002
【特許請求の範囲】
【請求項１】
天板を備えるテーブルと、
前記天板の下方で軸心が水平方向を向くように前記テーブルに固定された支持棒と、
前記支持棒に連結された椅子と、を備えた椅子収納型テーブルであって、
前記椅子は、基端部が前記支持棒に対して回動可能に連結される支柱と、前記支柱の先端部に設けられた座部と、前記支柱の中途部において前記支柱に対して回動可能に連結された補助脚と、を備え、
前記椅子は、前記座部が前記天板の下方の空間内に位置する収納状態と、前記座部が前記天板の下方の空間外に位置する使用状態と、の間で変位可能とされ、
前記椅子が収納状態に位置する際には、前記補助脚が前記支柱に対して近接する収納位置に位置し、
前記椅子が使用状態に位置する際には、前記補助脚が前記支柱に対して離間する使用位置に位置する、椅子収納型テーブル。
【請求項２】
前記補助脚は、前記支柱との連結部分に付勢手段が介挿され、前記付勢手段の付勢力によって使用位置の側に付勢されるとともに、ワイヤーで前記支持棒と連結されることにより、前記椅子の使用状態から収納状態への変位に伴って使用位置から収納位置に変位する、請求項１に記載の椅子収納型テーブル。
【請求項３】
前記補助脚は、リンク機構で前記支持棒と連結されることにより、前記椅子が収納状態に位置する際に収納位置に位置し、前記椅子が使用状態に位置する際に使用位置に位置する、請求項１に記載の椅子収納型テーブル。
【請求項４】
前記テーブルは、前記天板を両側で支持する二枚の側板を備え、
前記支持棒は、両端部が前記二枚の側板に固定される、請求項１から請求項３の何れか１項に記載の椅子収納型テーブル。
【請求項５】
前記テーブルは、前記椅子の収納状態と使用状態との間で前記支持棒に対する前記支柱の角度を規制する規制部材を備える、請求項１から請求項４の何れか１項に記載の椅子収納型テーブル。
【請求項６】
天板面の高さを８００ｍｍ〜１２５０ｍｍとした天板を備えるハイテーブルと、
前記天板の下方で前記ハイテーブルにおける支持部に連結された椅子と、を備えた椅子収納型テーブルであって、
前記椅子は、基端部が前記支持部に対して回動可能に連結される支柱と、前記支柱の先端部に設けられた座部と、前記支柱の中途部において前記支柱に対して回動可能に連結された補助脚と、を備え、
前記椅子は、前記座部が前記天板の下方の空間内に位置する収納状態と、前記座部が前記天板の下方の空間外に位置する使用状態と、の間で変位可能とされ、
前記椅子が収納状態に位置する際には、前記補助脚が前記支柱に対して近接する収納位置に位置し、
前記椅子が使用状態に位置する際には、前記補助脚が前記支柱に対して離間する使用位置に位置する、椅子収納型テーブル。
【請求項７】
前記支持部は、前記天板の下方で軸心が水平方向を向くように前記テーブルに固定された支持棒である、請求項６に記載の椅子収納型テーブル。
【発明の詳細な説明】
【技術分野】
【０００１】
本発明は椅子収納型テーブルに関し、詳細にはテーブルと椅子とを一体的に構成するとともに、テーブルの内部に椅子を収納可能とした椅子収納型テーブルに関するものである。
【背景技術】
【０００２】
従来、テーブルと椅子とを一体的に構成するとともに、テーブルの内部に椅子を収納可能とする技術が知られている（例えば、特許文献１を参照）。また、流し台の内部に椅子を収納可能とし、椅子を使用状態とする際に補助脚で支持する技術が知られている（例えば、特許文献２を参照）。
【先行技術文献】
【特許文献】
【０００３】
【特許文献１】特開平５−２８５０１２号公報
【特許文献２】実開平４−１３３７４４号公報
【発明の概要】
【発明が解決しようとする課題】
【０００４】
特許文献１に記載の技術によれば、椅子に加わる荷重の全てをテーブルの支柱で支える構成であるため、椅子に加わる重量が大きくなった場合にテーブルが不安定になる可能性があった。一方、特許文献２に記載の技術をテーブルに適用した場合、使用者が椅子を取り出す動作と、補助脚を広げる動作と、を行う必要があるため、椅子を出し入れする作業が煩雑になっていた。
【０００５】
本発明は以上の如き状況に鑑みてなされたものであり、本発明が解決しようとする課題は、椅子の出し入れを容易に行うことができ、椅子の使用時におけるテーブルの安定性を確保するとともに、椅子をコンパクトに収納することが可能な、椅子収納型テーブルを提供することである。
【課題を解決するための手段】
【０００６】
本発明は、上記課題を解決するために、以下に構成する椅子収納型テーブルを提供する。
【０００７】
（１）天板を備えるテーブルと、前記天板の下方で軸心が水平方向を向くように前記テーブルに固定された支持棒と、前記支持棒に連結された椅子と、を備えた椅子収納型テーブルであって、前記椅子は、基端部が前記支持棒に対して回動可能に連結される支柱と、前記支柱の先端部に設けられた座部と、前記支柱の中途部において前記支柱に対して回動可能に連結された補助脚と、を備え、前記椅子は、前記座部が前記天板の下方の空間内に位置する収納状態と、前記座部が前記天板の下方の空間外に位置する使用状態と、の間で変位可能とされ、前記椅子が収納状態に位置する際には、前記補助脚が前記支柱に対して近接する収納位置に位置し、前記椅子が使用状態に位置する際には、前記補助脚が前記支柱に対して離間する使用位置に位置する、椅子収納型テーブル。
【０００８】
（２）前記補助脚は、前記支柱との連結部分に付勢手段が介挿され、前記付勢手段の付勢力によって使用位置の側に付勢されるとともに、ワイヤーで前記支持棒と連結されることにより、前記椅子の使用状態から収納状態への変位に伴って使用位置から収納位置に変位する、（１）に記載の椅子収納型テーブル。
【０００９】
（３）前記補助脚は、リンク機構で前記支持棒と連結されることにより、前記椅子が収納状態に位置する際に収納位置に位置し、前記椅子が使用状態に位置する際に使用位置に位置する、（１）に記載の椅子収納型テーブル。
【００１０】
（４）前記テーブルは、前記天板を両側で支持する二枚の側板を備え、前記支持棒は、両端部が前記二枚の側板に固定される、（１）から（３）の何れか一に記載の椅子収納型テーブル。
【００１１】
（５）前記テーブルは、前記椅子の収納状態と使用状態との間で前記支持棒に対する前記支柱の角度を規制する規制部材を備える、（１）から（４）の何れか一に記載の椅子収納型テーブル。
【００１２】
（６）天板面の高さを８００ｍｍ〜１２５０ｍｍとした天板を備えるハイテーブルと、前記天板の下方で前記ハイテーブルにおける支持部に連結された椅子と、を備えた椅子収納型テーブルであって、前記椅子は、基端部が前記支持部に対して回動可能に連結される支柱と、前記支柱の先端部に設けられた座部と、前記支柱の中途部において前記支柱に対して回動可能に連結された補助脚と、を備え、前記椅子は、前記座部が前記天板の下方の空間内に位置する収納状態と、前記座部が前記天板の下方の空間外に位置する使用状態と、の間で変位可能とされ、前記椅子が収納状態に位置する際には、前記補助脚が前記支柱に対して近接する収納位置に位置し、前記椅子が使用状態に位置する際には、前記補助脚が前記支柱に対して離間する使用位置に位置する、椅子収納型テーブル。
【００１３】
（７）前記支持部は、前記天板の下方で軸心が水平方向を向くように前記テーブルに固定された支持棒である、（６）に記載の椅子収納型テーブル。
【発明の効果】
【００１４】
以上における本発明に係る椅子収納型テーブルは、以下に示す効果を奏する。
【００１５】
（１）の構成によれば、椅子の出し入れを容易に行うことができ、椅子の使用時におけるテーブルの安定性を確保するとともに、椅子をコンパクトに収納することが可能となる。
【００１６】
（２）の構成によれば、椅子の出し入れに伴って補助脚を使用位置と収納位置との間で変位させることができる。
【００１７】
（３）の構成によれば、椅子の出し入れに伴って補助脚を使用位置と収納位置との間で変位させることができる。
【００１８】
（４）の構成によれば、支持棒を足置きとして機能させることができる。
【００１９】
（５）の構成によれば、椅子をテーブルに当接させることなく、支柱の角度を規制することができる。
【００２０】
（６）の構成によれば、ハイテーブルにおいて椅子の出し入れを容易に行うことができ、椅子の使用時におけるハイテーブルの安定性を確保するとともに、椅子をコンパクトに収納することが可能となる。
【００２１】
（７）の構成によれば、支持棒を中心として椅子を回動支持することができる。
【図面の簡単な説明】
【００２２】
【図１】椅子の使用状態における椅子収納型テーブルを示す斜視図。
【図２】椅子の収納状態における椅子収納型テーブルを示す斜視図。
【図３】椅子の使用状態における椅子収納型テーブルを示す側面断面図。
【図４】椅子を使用状態から収納状態に変位させる途中の椅子収納型テーブルを示す側面断面図。
【図５】椅子の収納状態における椅子収納型テーブルを示す側面断面図。
【図６】椅子の分解斜視図。
【図７】補助脚の連結部分を示す拡大図。
【図８】（ａ）及び（ｂ）はそれぞれ椅子の使用状態及び収納状態における支柱の連結状態を示す断面図。
【発明を実施するための形態】
【００２３】
以下では図１から図８を用いて、本発明の一実施形態に係る椅子収納型テーブル１について説明する。本明細書においては、椅子収納型テーブル１の使用者から見た方向で、椅子収納型テーブル１の方向を規定する。即ち、図１及び図２における紙面右上方向を前方、紙面左下方向を後方とし、同じく紙面右下方向を右側方、紙面左上方向を左側方とする。
【００２４】
図１及び図２に示す如く、椅子収納型テーブル１は、テーブル２、支持棒３、及び、椅子４を一体的に備える。椅子収納型テーブル１は床面Ｆに載置された状態で使用される。具体的には、床面Ｆに載置された椅子収納型テーブル１において、使用者が椅子４に座った状態でテーブル２の上面で仕事や食事等を行うことにより使用される。
【００２５】
テーブル２は、左右方向に長手方向を有する矩形の天板２１と、天板２１の左右両側を支持する側板２２・２２と、天板２１の前側を支持する背板２３と、が互いに直交するように組み合わされる。本実施形態においてテーブル２は木板を組み合わせて構成されるが、テーブル２をスチール等の金属板を組み合わせて構成することも可能である。また、天板２１を複数本の棒状の脚部材で支持する構成とすることも可能である。本実施形態において、椅子収納型テーブル１は、床面Ｆから天板面（天板２１の上面）までの高さが８００ｍｍ〜１２５０ｍｍのハイテーブルとして構成されている。
【００２６】
図１及び図２に示す如く、テーブル２には金属製の支持棒３が、天板２１の下方で側板２２・２２の下部における前後方向中途部に固定される。支持棒３の両端がそれぞれ側板２２・２２に固定されることにより、支持棒３は軸心が左右の水平方向を向くように配置される。本実施形態に係る椅子収納型テーブル１において、支持棒３は使用者の足置きとして機能する。換言すれば椅子４は、足置きとして設けられた棒状部材を支持棒３として、当該棒状部材に対して後付け可能に構成されている。
【００２７】
なお、本発明に係る支持棒は軸心が左右の水平方向を向いた状態でテーブル２に固定される構成であれば良く、例えばＬ字状の部材を背板２３から延出させる構成としても差し支えない。また、Ｌ字状の部材を側板２２と背板２３とに固定し、背板２３に平行な部分を支持棒として構成することも可能である。また、天板２１を棒状の脚部材で支持した場合には、脚部材に支持棒を固定することも可能である。また、テーブル２に棒状ではない支持部を設け、この支持部が椅子４を支持する構成とすることも可能である。
【００２８】
図１及び図２に示す如く、テーブル２に固定された支持棒３には椅子４が連結される。本実施形態に係る椅子収納型テーブル１は椅子４が一脚のみ設けられる構成としているが、椅子収納型テーブル１においては複数の椅子４を支持棒３に左右方向に並べて配置する構成としても良い。また、椅子４を支持棒３に連結せず、テーブル２を構成する側板２２・２２、背板２３、又は脚部材等に直接連結する構成とすることも可能である。
【００２９】
本実施形態に係る椅子４は、支柱４１と、座部４２と、補助脚４３と、を備える。図１から図５に示す如く、金属製の支柱４１は基端側端部である下端部が支持棒３に対して前後方向に回動可能に連結される。本実施形態においては、支柱４１は支持棒３に対して常に直交するように、支持棒３に連結されている。
【００３０】
支柱４１を支持棒３に連結する際には、図６及び図８に示す如く、支持棒３の外周面に組付けられた円筒状のブシュ５１における上側の外周面に、支柱４１の下端部に形成された上側半筒部４１ａが被せられる。本実施形態において、ブシュ５１は半円筒状の部材を二個組み合わせて構成されている。また、ブシュ５１の下側の外周面に下側半筒部５２が被せられる。そして、ねじで上側半筒部４１ａと下側半筒部５２を組付けることにより、支柱４１が支持棒３に連結される。図８（ａ）及び（ｂ）に示す如く、下側半筒部５２の外面には被規制溝５２ａが形成されている。
【００３１】
座部４２は支柱４１の先端側端部である上端部に設けられる。座部４２は金属製の軸部材４２ａと、ポリウレタン等の発泡樹脂製の被覆部材４２ｂとで構成される。軸部材４２ａは使用者の臀部を保護するために被覆部材４２ｂで被覆されている。軸部材４２ａは支柱４１の上端部において、支持棒３と平行になるように支柱４１と直交して固定される。これにより、椅子４を使用する際には座部４２は水平に配置される。なお、座部の構成は本実施形態に限定されるものではなく、木製、金属製、又は樹脂製の板部材等で座部を形成することも可能である。
【００３２】
金属製の補助脚４３は支柱４１の上下方向中途部において、支柱４１に対して回動可能に連結される。具体的には図６に示す如く、支柱４１の上下方向中途部には、連結孔が開口した回動支持部４１ｂが後方に延出して設けられている。一方、補助脚４３の上端部には同様に連結孔が開口した連結部４３ａが形成されている。この連結部４３ａと回動支持部４１ｂとの連結孔に固定ピン４３ｃが挿通されることにより、補助脚４３が支柱４１に前後方向に回動可能とされる。この際、固定ピン４３ｃは連結部４３ａに対して相対回転不能に固定される。即ち、固定ピン４３ｃは支柱４１に対して補助脚４３と一体的に回動する。
【００３３】
なお、本実施形態において、支持棒３、支柱４１、軸部材４２ａ、及び、補助脚４３を金属製の部材として構成しているが、これらをガラス繊維等の強化繊維で強化された、ナイロン等の樹脂製部材で構成することも可能である。
【００３４】
また、図６に示す如く、回動支持部４１ｂの下面には付勢手段である板ばね６０が固定されている。板ばね６０の先端部は補助脚４３に形成されたばね受け溝４３ｂに挿入される。これにより、補助脚４３は常に支柱４１から離間する方向である後方に向かって付勢される。換言すれば、補助脚４３は支柱４１との連結部分に付勢手段である板ばね６０が介挿され、板ばね６０の付勢力によって後側に付勢されるのである。
【００３５】
図１及び図３に示す如く、本実施形態に係る椅子収納型テーブル１においては、使用者が椅子４を操作することにより、座部４２を天板２１の下方の空間外に位置させることができる。この状態において、使用者が椅子４の座部４２に座ってテーブル２で仕事や食事等を行うことができる（使用状態）。椅子４が使用状態に位置する際には、補助脚４３は支柱４１に対して離間する使用位置に位置する。使用位置に位置する補助脚４３は、図３に示す如く下端部が床面Ｆに当接することにより、支柱４１に加わる荷重を支持する。
【００３６】
一方、図２及び図５に示す如く、椅子収納型テーブル１において、使用者が椅子４を操作することにより、座部４２を天板２１の下方の空間内に位置させて椅子４を収納することができる（収納状態）。椅子４が収納状態に位置する際には、補助脚４３は床面Ｆから離れ、図５に示す如く支柱４１に対して近接する収納位置に位置する。
【００３７】
以下、図３から図８を用いて、椅子４の変位に伴って補助脚４３の位置を変化させる構成について説明する。図３から図６に示す如く、支持棒３には固定部材である下側規制部材５４、上側規制部材５５・５６が固定される。具体的には図６に示す如く、ブシュ５１の軸方向の両側には、支持棒３の外周面に設けられた円環樹脂製の弾性部材５３・５３が配置される。本実施形態において、弾性部材５３・５３の一部には切り欠きが形成されており、この切り欠きから弾性部材５３・５３の内側に支持棒３を挿入することができる。
【００３８】
下側規制部材５４及び上側規制部材５５・５６を支持棒３に固定する際には、弾性部材５３・５３の下側から下側規制部材５４を当接させ、弾性部材５３・５３の上側から上側規制部材５５・５６を当接させた状態で、下側規制部材５４と上側規制部材５５・５６とをねじにより締結する。これにより、弾性部材５３・５３は下側規制部材５４と上側規制部材５５・５６とにより押圧され、支持棒３との間に挟み込まれる。弾性部材５３・５３に生じる摩擦力により、下側規制部材５４及び上側規制部材５５・５６は支持棒３に対して回動不能に固定される。また、図６に示す如く、上側規制部材５６には突起部である係止部５６ａが形成されている。
【００３９】
下側規制部材５４には軸方向に長手方向を有する規制部５４ａが形成される。図８（ａ）及び（ｂ）に示す如く、規制部５４ａは下側半筒部５２に形成された被規制溝５２ａに挿入される。上記の如く、下側規制部材５４は支持棒３において回動不能に固定されているため、下側半筒部５２及び支柱４１は規制部５４ａにより支持棒３に対する回動角度が規制される。図８（ａ）は支柱４１が最も後方に回動した状態、図８（ｂ）は支柱４１が最も前方に回動した状態を示している。
【００４０】
図６に示す如く、支柱４１の右側面には、最下部に下側滑車５７が固定される。また、支柱４１の右側面における回動支持部４１ｂの近傍には上側滑車５８が固定される。そして、補助脚４３はワイヤー５９で支持棒３と連結される。具体的には図３から図６に示す如く、ワイヤー５９の下端部５９ａは上側規制部材５６の係止部５６ａに係止される。ワイヤー５９は下側滑車５７の前方及び上側滑車５８の上方に巻回されて、上端部５９ｂが固定ピン４３ｃに係止される。より詳細には図７に示す如く、ワイヤー５９の上端部５９ｂは、右側面視で固定ピン４３ｃに時計回りに巻き付けられて係止される。
【００４１】
上記の如く構成した椅子収納型テーブル１において、使用者が椅子４を図３に示す使用状態から前方に押し込んで、図５に示す収納状態まで変位させた場合、図４に示す如く下側滑車５７がワイヤー５９を後方に押圧する。これにより、ワイヤー５９が図４中の矢印Ａに示す如く下方に引張られ、ワイヤー５９の張力により固定ピン４３ｃが図４中の矢印Ｂに示す如く右側面視で反時計回りに回動する。これにより、椅子４の使用状態において支柱４１から離間した使用位置に位置する補助脚４３は、板ばね６０の付勢力に抗して回動され、支柱４１に対して近接する収納位置に変位される。
【００４２】
一方、椅子収納型テーブル１において、使用者が椅子４を図５に示す収納状態から後方に引き出して、図３に示す使用状態まで変位させた場合、下側滑車５７によるワイヤー５９の押圧力が低下する。これにより、ワイヤー５９が固定ピン４３ｃに加える張力が低下し、補助脚４３は板ばね６０の付勢力によって支柱４１から離間した使用位置に変位される。
【００４３】
上記の如く、本実施形態に係る椅子収納型テーブル１においては、椅子４が収納状態に位置する際には、補助脚４３が支柱４１に対して近接する収納位置に位置し、椅子４が使用状態に位置する際には、補助脚４３が支柱４１に対して離間する使用位置に位置するように構成されている。
【００４４】
上記の如く構成することにより、椅子４の出し入れを容易に行うことができる。具体的には、使用者が椅子４を引き出す動作を行うだけで補助脚４３を使用位置に変位させ、また、椅子４を押し込む動作を行うだけで補助脚４３を収納位置に変位させることができる。即ち、椅子４を出し入れする動作以外に、補助脚４３を出し入れする動作を行う必要がないため、補助脚４３で支持された椅子４を容易に出し入れすることが可能となるのである。
【００４５】
なお、椅子４の支柱４１と支持棒３との間にばね等の付勢手段を介挿することにより、椅子４を収納状態の側（前側）に付勢する構成とすることも可能である。この場合、使用者が椅子４から席を外した後に椅子４を押し込む動作をしなくても、付勢手段の付勢力により自動的に椅子４を収納状態とすることができる。この場合、補助脚４３も自動的に収納位置に変位させることができる。
【００４６】
また、本実施形態においては椅子４の支柱４１を補助脚４３で支持する構成とすることにより、椅子４の使用時におけるテーブル２の安定性を確保することができる。また、椅子４の収納状態において補助脚４３を収納位置に変位させることにより、椅子４をコンパクトに収納することが可能となる。即ち、椅子４を収納した状態においても、図５に示す如く補助脚４３が後方に延出されないため、椅子収納型テーブル１の美感を損なうことがない。
【００４７】
また、本実施形態に係る椅子収納型テーブル１において、補助脚４３は、支柱４１との連結部分に付勢手段である板ばね６０が介挿され、板ばね６０の付勢力によって使用位置の側に付勢され、ワイヤー５９で支持棒３と連結される。これにより、補助脚４３は椅子４の使用状態から収納状態への変位に伴って使用位置から収納位置に変位する。
【００４８】
上記の如く構成することにより、椅子４の出し入れに伴って補助脚４３を使用位置と収納位置との間で容易に変位させることを可能としている。また、本実施形態において、補助脚４３と支柱４１とは、回動支持部４１ｂと連結部４３ａとの一箇所で連結するシンプルな構成とされている。このため、補助脚４３を支柱４１に対して容易に回動させることができるとともに、椅子４のデザイン性を高めることができる。なお、本実施形態においてはワイヤー５９及び下側滑車５７・上側滑車５８等の構成を支柱４１の外部に配置しているが、これらの構成を支柱４１の内部に収容する構成とすることも可能である。
【００４９】
また、本実施形態に係る椅子収納型テーブル１において、支持棒３は、椅子４の収納状態と使用状態との間で支持棒３に対する支柱４１の角度を規制する規制部材として、下側規制部材５４を備える。本実施形態においては図８（ａ）及び（ｂ）に示す如く、下側規制部材５４における規制部５４ａが下側半筒部５２及び支柱４１の回動角度を規制している。これにより、図３及び図５に示す如く、椅子４をテーブル２に当接させることなく、支柱４１の角度を規制することを可能としている。
【００５０】
なお、本実施形態において、補助脚４３は、支柱４１との連結部分に板ばね６０を介挿するとともに、ワイヤー５９で支持棒３と連結することにより、椅子４の移動に伴って変位する構成としたが、他の構成とすることも可能である。例えば、支持棒３と補助脚４３とを、本実施形態とは異なるリンク機構で連結することにより、椅子４が収納状態に位置する際に収納位置に位置し、椅子４が使用状態に位置する際に使用位置に位置するように構成することも可能である。このような構成においても、椅子４の出し入れに伴って補助脚４３を使用位置と収納位置との間で変位させることができる。
【符号の説明】
【００５１】
１        椅子収納型テーブル
２        テーブル                 ３        支持棒           
４        椅子                   ２１        天板             
２２        側板                   ２３        背板             
４１        支柱                   ４１ａ      上側半筒部              
４１ｂ      回動支持部             ４２        座部             
４２ａ      軸部材                 ４２ｂ      被覆部材         
４３        補助脚                 ４３ａ      連結部           
４３ｂ      ばね受け溝             ４３ｃ      固定ピン         
５１        ブシュ                 ５２        下側半筒部              
５２ａ      被規制溝               ５３        弾性部材         
５４        下側規制部材           ５４ａ      規制部           
５５        上側規制部材           ５６        上側規制部材     
５６ａ      係止部                 ５７        下側滑車         
５８        上側滑車               ５９        ワイヤー         
５９ａ      下端部                 ５９ｂ      上端部           
６０        板ばね（付勢手段）        Ａ        矢印            
Ｂ        矢印                     Ｆ        床面             
【図１】
2020099581.tif 000003
【図２】
2020099581.tif 000004
【図３】
2020099581.tif 000005
【図４】
2020099581.tif 000006
【図５】
2020099581.tif 000007
【図６】
2020099581.tif 000008
【図７】
2020099581.tif 000009
【図８】
2020099581.tif 000010